(57)【要約】【課題】光源アレイが出射する照明光の一部がインテグレータ素子に入射される構成において、当該照明光の一部の光量を考慮した、複数の光源の各々が出射する光の量の制御を行う。【解決手段】投写型表示装置１０００は、ｍ個の光源５０から構成される光源アレイ４０と、光源アレイ４０が出射する照明光の輝度分布を均一化するためのインテグレータ素子１０と、を備える。インテグレータ素子１０には、照明光の一部が入射される。光源駆動部３１は、インテグレータ素子１０に入射される照明光の一部の光量に基づいて、ｍ個の光源５０の各々が出射する光の量を制御する。【選択図】図１
2015161850.tif 000002
【特許請求の範囲】
【請求項１】
映像光を出射する投写型表示装置であって、
光を出射するｍ（２以上の整数）個の光源から構成される光源アレイと、
前記光源アレイが出射する照明光の輝度分布を均一化するためのインテグレータ素子と、を備え、
前記インテグレータ素子には、前記照明光の一部が入射され、
前記インテグレータ素子は、入射された前記照明光の一部を出射し、
前記投写型表示装置は、さらに、
前記インテグレータ素子が出射した前記照明光の一部を利用して前記映像光を生成する画像表示素子と、
前記インテグレータ素子に入射される前記照明光の一部の光量に基づいて、前記ｍ個の光源の各々が出射する光の量を制御する光源駆動部と、を備える
投写型表示装置。
【請求項２】
前記ｍ個の光源の各々は、該光源に電流が流れることにより光を出射する発光素子であり、
前記光源駆動部は、前記光源に流れる電流と、該光源が出射する光の輝度との関係を示す特性である電流輝度特性を用いて前記ｍ個の光源の各々が出射する光の量を制御する
請求項１に記載の投写型表示装置。
【請求項３】
前記ｍ個の光源の各々は、該光源に電流が流れることにより光を出射する発光素子であり、
前記照明光は、前記ｍ個の光源がそれぞれ出射するｍ個の光により構成され、
前記光源駆動部は、前記ｍ個の光のうち、前記インテグレータ素子に入射される光量が最も大きい光を出射する前記光源である高出力光源へ供給する電流の量を、前記ｍ個の光源のうち該高出力光源以外の光源へ供給する電流の量より多くする
請求項１または２に記載の投写型表示装置。
【請求項４】
前記ｍ個の光源の各々は、該光源に電流が流れることにより光を出射する発光素子であり、
前記光源駆動部は、前記ｍ個の光源において、故障している光源である故障光源が存在する場合、該ｍ個の光源のうち該故障光源以外の光源である正常光源へ供給する電流の量を制御する
請求項１から３のいずれか１項に記載の投写型表示装置。
【請求項５】
前記光源駆動部は、前記故障光源が存在する場合、
（ａ１）前記故障光源への電流供給を停止するための処理を行い、
（ａ２）前記正常光源へ供給する電流の量を、該正常光源の定格電流を超えないように、増加させる処理を行う
請求項４に記載の投写型表示装置。
【発明の詳細な説明】
【技術分野】
【０００１】
本発明は、複数の光源から構成される光源アレイが出射する照明光を利用して映像光を出射する投写型表示装置に関する。
【背景技術】
【０００２】
従来から、各光源が出射した照明光を、画像信号に基づいて変調し、変調された各照明光を合成することにより生成された光を、スクリーンに投影することにより、スクリーン上に映像表示を行う投写型表示装置がある。装置の小型化、低消費電力化および光源の長寿命化の要求の高まりから、投写型表示装置において、従来の放電ランプに代わる光源としてＬＥＤ（Light Emitting Diode：発光ダイオード）が近年広く使われるようになってきている。
【０００３】
投写型表示装置は、例えば、３原色を構成する赤色光、緑色光および青色光をそれぞれ出射する３個のＬＥＤからなる光源からの照明光を、ダイクロイックミラーまたはダイクロイックプリズム等によって合成する。そして、投写型表示装置は、当該合成により得られた光を、ＤＭＤ（Digital Micromirror Device）等の画像表示素子によって映像光に変調してカラー映像を投写している。
【０００４】
このような投写型表示装置に用いられる光源としては、発光部が１個のＬＥＤで構成されたもの、複数のＬＥＤが配列されたＬＥＤアレイで構成されたもの等がある。ＬＥＤアレイを用いた投写型表示装置では、例えば、各ＬＥＤを複数のグループに分類し、各グループ毎に駆動回路が設けられている。
【０００５】
ここで、例えば、１つのＬＥＤアレイが６個のＬＥＤで構成されているとする。この場合、例えば、２個のＬＥＤから構成されるグループを３組設けた構成とすることができる。この構成では、３組のグループの各々に対し、駆動回路が設けられる。
【０００６】
また、例えば、１個のＬＥＤから構成されるグループを６組設けた構成とすることができる。この構成では、６組のグループの各々に対し、駆動回路が設けられる。
【０００７】
上記のようにグループに分類された構成において、各ＬＥＤを、グループごとに制御することにより、当該グループに属するＬＥＤの消費電流を個別に設定することが可能である。
【０００８】
なお、ＬＥＤアレイを用いた構成では、赤色光、緑色光および青色光をそれぞれ出射する３個のＬＥＤアレイが使用される。当該３個のＬＥＤアレイがそれぞれ出射する赤色光、緑色光および青色光の光路の数は、ダイクロイックミラーまたはダイクロイックプリズムによって、３から１に変更される。そして、１つの光路を通過する、赤色光、緑色光および青色光は、インテグレータ素子を介して、ＤＭＤ等の画像表示素子に照射される。
【０００９】
インテグレータ素子は、例えば、一般によく知られたライトトンネル、ガラスロッド等である。インテグレータ素子は、当該インテグレータ素子の内部を、反射しながら通過する光の輝度分布を均一化させる機能を有する。
【００１０】
特許文献１には、インテグレータ素子としてのロッドレンズを利用した技術（以下、関連技術Ａともいう）が開示されている。
【先行技術文献】
【特許文献】
【００１１】
【特許文献１】特開２００２−１８９２６３号公報
【発明の概要】
【発明が解決しようとする課題】
【００１２】
投写型表示装置の画像表示素子の形状は、一般的に、長方形である。当該画像表示素子のアスペクト比は、表示画面のアスペクト比と同じである。当該アスペクト比は、例えば、１６：９、１６：１０、４：３などである。
【００１３】
投写型表示装置では、部品の共用化等のために、例えば、アスペクト比が４：３である画像表示素子に対して、アスペクト比が１６：９の発光面を有する光源アレイ（ＬＥＤアレイ）が使用される場合がある。すなわち、投写型表示装置では、画像表示素子のアスペクト比とは異なるアスペクト比の発光面を有する光源アレイが使用される場合がある。なお、インテグレータ素子の入射面のアスペクト比は、一般的に、画像表示素子のアスペクト比と同じである。すなわち、光源アレイの発光面のアスペクト比と、インテグレータ素子の入射面のアスペクト比とは異なる。
【００１４】
この場合、光源アレイが出射する照明光を、インテグレータ素子を介して画像表示素子に照射する構成において、インテグレータ素子には、当該照明光の一部のみが入射される。
【００１５】
一般的に、光源アレイを構成する各光源が出射する光の量は、同一である。すなわち、光源アレイを構成する複数の光源の全ては、同じように制御される。そのため、上記のように、インテグレータ素子に照明光の一部が入射される構成において、光源アレイを構成する複数の光源の全てが同じように制御された場合、光の利用効率が悪いという問題がある。光の利用効率を良くするためには、インテグレータ素子に入射される当該照明光の一部の光量を考慮した制御が求められる。
【００１６】
本発明は、このような問題を解決するためになされたものであり、光源アレイが出射する照明光の一部がインテグレータ素子に入射される構成において、当該照明光の一部の光量を考慮した、複数の光源の各々が出射する光の量の制御を行うことが可能な投写型表示装置を提供することを目的とする。
【課題を解決するための手段】
【００１７】
上記目的を達成するために、本発明の一態様に係る投写型表示装置は、映像光を出射する。前記投写型表示装置は、光を出射するｍ（２以上の整数）個の光源から構成される光源アレイと、前記光源アレイが出射する照明光の輝度分布を均一化するためのインテグレータ素子と、を備え、前記インテグレータ素子には、前記照明光の一部が入射され、前記インテグレータ素子は、入射された前記照明光の一部を出射し、前記投写型表示装置は、さらに、前記インテグレータ素子が出射した前記照明光の一部を利用して前記映像光を生成する画像表示素子と、前記インテグレータ素子に入射される前記照明光の一部の光量に基づいて、前記ｍ個の光源の各々が出射する光の量を制御する光源駆動部と、を備える。
【発明の効果】
【００１８】
本発明によれば、投写型表示装置は、ｍ（２以上の整数）個の光源から構成される光源アレイと、前記光源アレイが出射する照明光の輝度分布を均一化するためのインテグレータ素子と、を備える。前記インテグレータ素子には、前記照明光の一部が入射される。光源駆動部は、前記インテグレータ素子に入射される前記照明光の一部の光量に基づいて、前記ｍ個の光源の各々が出射する光の量を制御する。
【００１９】
これにより、光源アレイが出射する照明光の一部がインテグレータ素子に入射される構成において、当該照明光の一部の光量を考慮した、複数の光源の各々が出射する光の量の制御を行うことができる。
【図面の簡単な説明】
【００２０】
【図１】本発明の実施の形態１に係る投写型表示装置の光学系の構成を主に示す図である。
【図２】照明光学系の構成を主に示す図である。
【図３】インテグレータ素子の入射面側の周辺部分の拡大図である。
【図４】インテグレータ素子の入射面を示す図である。
【図５】光源駆動部の詳細な構成を示す図である。
【図６】電流輝度特性の一例を示す図である。
【図７】電流輝度特性の別の一例を示す図である。
【図８】３次関数の一例を示す図である。
【発明を実施するための形態】
【００２１】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００２２】
＜実施の形態１＞
図１は、本発明の実施の形態１に係る投写型表示装置１０００の光学系の構成を主に示す図である。図２は、後述の照明光学系１２０の構成を主に示す図である。投写型表示装置１０００は、詳細は後述するが、映像を構成する映像光を出射する。投写型表示装置１０００は、動作モードとして、輝度重視モードおよび低消費電力モードを有する。
【００２３】
輝度重視モードは、投写型表示装置１０００の消費電力を考慮せず、映像光の輝度を出来る限り大きくするためのモードである。低消費電力モードは、投写型表示装置１０００の消費電力を一定の値に抑えるためのモードである。
【００２４】
図１および図２を参照して、投写型表示装置１０００は、照明光学系１２０と、投写光学系１３０と、制御部３０とを備える。
【００２５】
照明光学系１２０は、詳細は後述するが、光源を有する。投写光学系１３０は、照明光学系１２０から出射される照明光を利用して、映像を構成する映像光を生成する。また、投写光学系１３０は、映像光を、スクリーン（図示せず）に投写する。制御部３０は、照明光学系１２０を制御する。
【００２６】
次に、照明光学系１２０、投写光学系１３０および制御部３０の各々について詳細に説明する。
【００２７】
照明光学系１２０は、光源アレイ４０Ｒ，４０Ｇ，４０Ｂと、コリメーターレンズ群７Ｒ，７Ｇ，７Ｂと、ダイクロイックミラー８Ｒ，８Ｇ，８Ｂと、コンデンサーレンズ群９と、光源駆動部３１Ｒ，３１Ｇ，３１Ｂとを含む。
【００２８】
光源アレイ４０Ｒ，４０Ｇ，４０Ｂは、３原色の照明光を出射する。具体的には、光源アレイ４０Ｒは、赤色光を出射する。光源アレイ４０Ｇは、緑色光を出射する。光源アレイ４０Ｂは、青色光を出射する。すなわち、光源アレイ４０Ｒ，４０Ｇ，４０Ｂの各々は、異なる色の光を出射する。以下においては、赤、緑および青を、それぞれ、Ｒ、ＧおよびＢともいう。
【００２９】
光源アレイ４０Ｒ，４０Ｇ，４０Ｂは、時系列的に、赤色光、緑色光および青色光を出射する。すなわち、光源アレイ４０Ｒ，４０Ｇ，４０Ｂは、赤色光、緑色光および青色光を、順次、出射する。光源アレイ４０Ｒ，４０Ｇ，４０Ｂの各々の形状は、矩形状である。以下においては、光源アレイ４０Ｒ，４０Ｇ，４０Ｂの各々を、光源アレイ４０ともいう。また、以下においては、光源アレイ４０が光を出射する面を、発光面ともいう。
【００３０】
図２に示すように、各光源アレイ４０は、光源５０ａ，５０ｂ，５０ｃ，５０ｄ，５０ｅ，５０ｆから構成される。以下においては、光源５０ａ，５０ｂ，５０ｃ，５０ｄ，５０ｅ，５０ｆの各々を、光源５０とも表記する。すなわち、光源アレイ４０は、６個の光源５０を含む。つまり、光源アレイ４０は、ｍ（２以上の整数）個の光源５０から構成される。各光源５０は、ＬＥＤである。各光源５０は、光源５０に電流が流れることにより光を出射する発光素子である。光源５０は、２つの端子を有する。
【００３１】
なお、各光源アレイ４０を構成する光源５０の数は、６に限定されず、２〜５，７以上であってもよい。なお、光源５０は、ＬＥＤに限定されず、例えば、レーザであってもよい。
【００３２】
制御部３０の制御に従い、光源駆動部３１Ｒ，３１Ｇ，３１Ｂは、それぞれ、光源アレイ４０Ｒ，４０Ｇ，４０Ｂを駆動させる。以下においては、光源駆動部３１Ｒ，３１Ｇ，３１Ｂの各々を、光源駆動部３１とも表記する。
【００３３】
前述したように、光源アレイ４０Ｒ，４０Ｇ，４０Ｂは、それぞれ、赤色光、緑色光および青色光を出射する。赤色光、緑色光および青色光は、光源アレイ４０Ｒ，４０Ｇ，４０Ｂにより、時系列的に出射される。
【００３４】
コリメーターレンズ群７Ｒ，７Ｇ，７Ｂは、それぞれ、赤色光、緑色光および青色光を略平行に整形する。
【００３５】
ダイクロイックミラー８Ｒ，８Ｇ，８Ｂは、略平行に整形された３種類の照明光を選択的に反射または透過させることにより、当該３種類の照明光を１つの光路に合成する。ダイクロイックミラー８Ｒは、赤色光のみ反射させ、その他の色の光は透過させる。ダイクロイックミラー８Ｇは、緑色光のみ反射させ、その他の色の光は透過させる。ダイクロイックミラー８Ｂは、青色光のみ反射させ、その他の色の光は透過させる。
【００３６】
コンデンサーレンズ群９は、１つの光路に合成された各照明光を集光し、当該集光された各照明光を、投写光学系１３０へ出射する。
【００３７】
投写光学系１３０は、インテグレータ素子１０と、リレーレンズ群１１と、ＴＩＲ（Total Internal Reflection）プリズム１２と、画像表示素子１３と、投写レンズ２０とを含む。
【００３８】
インテグレータ素子１０は、光源アレイ４０が出射する照明光の輝度分布を均一化するための素子である。インテグレータ素子１０は、例えば、ライトトンネル、ガラスロッド等である。インテグレータ素子１０の形状は、筒状である。
【００３９】
また、インテグレータ素子１０は、コンデンサーレンズ群９から出射される照明光の輝度分布を均一化させ、当該均一化した照明光を、リレーレンズ群１１へ出射する。インテグレータ素子１０は、光が入射される入射面と、光を出射する出射面とを有する。当該入射面は、インテグレータ素子１０の一方側の端部の開口により形成される面である。当該出射面は、インテグレータ素子１０の他方側の端部の開口により形成される面である。
【００４０】
リレーレンズ群１１は、レンズおよび反射ミラーから構成される。リレーレンズ群１１は、インテグレータ素子１０から出射される赤色光、緑色光、青色光を、順次、ＴＩＲプリズム１２に照射する。
【００４１】
ＴＩＲプリズム１２は、当該ＴＩＲプリズム１２の内部に光を全反射する面を有する。ＴＩＲプリズム１２は、照射された光を、画像表示素子１３へ伝播させる。
【００４２】
画像表示素子１３は、照射された光と、外部から入力される映像信号とに基づいて、映像を構成する映像光を生成する。すなわち、画像表示素子１３は、インテグレータ素子１０から出射された光であって、かつ、リレーレンズ群１１およびＴＩＲプリズム１２を通過した光を変調することにより映像光を生成する。
【００４３】
画像表示素子１３は、例えば、ＤＭＤである。なお、画像表示素子１３に入力される映像信号は、複数のフレーム（静止画像）から構成される映像を示す信号である。また、画像表示素子１３は、光を照射するための有効領域を有する。有効領域には、傾きを変化させることが可能な複数のマイクロミラーが設けられる。
【００４４】
また、画像表示素子１３は、生成した当該映像光を、投写レンズ２０へ出射する。
【００４５】
投写レンズ２０は、画像表示素子１３から出射される映像光を、スクリーン（図示せず）に向けて投影する。
【００４６】
次に、各光源アレイ４０が出射する光を利用して映像を形成するための処理についてさらに詳細に説明する。
【００４７】
光源アレイ４０Ｒが出射した赤色光は、コリメーターレンズ群７Ｒにより平行光に整形される。そして、整形された赤色光は、ダイクロイックミラー８Ｒにより反射し、コンデンサーレンズ群９に入射する。
【００４８】
また、光源アレイ４０Ｇが出射した緑色光は、コリメーターレンズ群７Ｇにより平行光に整形される。そして、整形された緑色光は、ダイクロイックミラー８Ｇにより反射し、コンデンサーレンズ群９に入射する。
【００４９】
また、光源アレイ４０Ｂが出射した青色光は、コリメーターレンズ群７Ｂにより平行光に整形される。そして、整形された青色光は、ダイクロイックミラー８Ｂにより反射し、コンデンサーレンズ群９に入射する。
【００５０】
コンデンサーレンズ群９に入射した、照明光としての赤色光、緑色光および青色光の各々は、対応する光源アレイ４０における光源像をほぼ保った状態で、インテグレータ素子１０の入射面に照射される（結像される）。なお、インテグレータ素子１０には、赤色光、緑色光および青色光が、順次、入射される。
【００５１】
インテグレータ素子１０の入射面に照射される、照明光としての赤色光、緑色光および青色光は、インテグレータ素子１０を通過する際に、当該インテグレータ素子１０の内部で反射を繰返す。これにより、インテグレータ素子１０の出射面からは、輝度分布が略均一となった照明光が出射される。
【００５２】
インテグレータ素子１０から出射された照明光（赤色光、緑色光、青色光）は、リレーレンズ群１１を介して、ＴＩＲプリズム１２内部の全反射面で折り曲げられる。そして、当該照明光は、画像表示素子１３に、略均一な輝度分布を保った状態で照射される。
【００５３】
画像表示素子１３では、照明光に対応する映像信号に応じて、各マイクロミラーの傾きを変えることにより、当該照明光を、時分割で、Ｒ，Ｇ，Ｂの色ごとに映像光に変調する。Ｒ，Ｇ，Ｂの映像光は、ＴＩＲプリズム１２を透過した後、投写レンズ２０を介して、スクリーン（図示せず）に、順次、拡大投影される。これにより、スクリーンにカラー映像が形成される。
【００５４】
前述のようにインテグレータ素子１０の出射面から出射される照明光は、輝度分布を保ったまま、画像表示素子１３に照射されることが望ましい。そのため、画像表示素子１３の有効領域の形状と、インテグレータ素子１０の入射面および出射面の形状は、同じアスペクト比を有する矩形状である。これにより、画像表示素子１３の有効領域に、効率良く照明光を照射するようにしている。
【００５５】
以下においては、光源アレイ４０Ｒが出射する照明光（赤色光）により、インテグレータ素子１０の入射面側において形成される光の像を、光源像４１Ｒともいう。また、以下においては、光源アレイ４０Ｇが出射する照明光（緑色光）により、インテグレータ素子１０の入射面側において形成される光の像を、光源像４１Ｇともいう。また、以下においては、光源アレイ４０Ｂが出射する照明光（青色光）により、インテグレータ素子１０の入射面側において形成される光の像を、光源像４１Ｂともいう。
【００５６】
図３は、インテグレータ素子１０の入射面側の周辺部分の拡大図である。すなわち、図３は、図２の領域Ｒ１の拡大図である。図３に示すように、インテグレータ素子１０の入射面には、光源像４１Ｒ，４１Ｇ，４１Ｂが、順次、照射される。以下においては、光源像４１Ｒ，４１Ｇ，４１Ｂの各々を、光源像４１とも表記する。
【００５７】
光源像４１は、光源像６０ａ，６０ｂ，６０ｃ，６０ｄ，６０ｅ，６０ｆから構成される。光源像６０ａ，６０ｂ，６０ｃ，６０ｄ，６０ｅ，６０ｆは、それぞれ、光源５０ａ，５０ｂ，５０ｃ，５０ｄ，５０ｅ，５０ｆに対応する。以下においては、光源像６０ａ，６０ｂ，６０ｃ，６０ｄ，６０ｅ，６０ｆの各々を、光源像６０ともいう。すなわち、光源像４１は、６個の光源像６０から構成される。
【００５８】
なお、光源像４１は、光源アレイ４０が出射する照明光である。また、６個の光源像６０は、光源アレイ４０を構成する６個の光源５０がそれぞれ出射する６個の光である。すなわち、照明光である光源像４１は、６個の光源５０がそれぞれ出射する６個の光により構成される。例えば、光源像４１Ｒは、光源アレイ４０Ｒを構成する６個の光源５０がそれぞれ出射する６個の光により構成される。
【００５９】
また、光源像６０は、当該光源像６０に対応する光源５０が出射した光により、インテグレータ素子１０の入射面側において形成される光の像である。例えば、光源像６０ａは、光源アレイ４０の光源５０ａが出射した光により、インテグレータ素子１０の入射面側において形成される光の像である。
【００６０】
以下においては、インテグレータ素子１０の入射面を、入射面１０ａともいう。図４は、インテグレータ素子１０の入射面１０ａを示す図である。図４には、さらに、光源像４１も示されている。なお、見やすくするために、光源像４１は、輪郭のみを示している。
【００６１】
本実施の形態では、画像表示素子１３の有効領域のアスペクト比、および、インテグレータ素子１０の入射面１０ａのアスペクト比は、一例として、４：３であるとする。また、各光源アレイ４０の発光面のアスペクト比は、一例として、１６：９であるとする。したがって、図４に示すように、インテグレータ素子１０の入射面１０ａの形状と、光源アレイ４０が出射する照明光により形成される光源像４１の形状とは異なる。
【００６２】
以下においては、入射面１０ａの横のサイズおよび縦のサイズを、それぞれ、Ｗ０およびＨ０と表記する。また、以下においては、光源像４１の横のサイズおよび縦のサイズを、それぞれ、Ｗ１およびＨ１と表記する。本実施の形態では、一例として、Ｗ０およびＨ０は、それぞれ、８ミリおよび６ミリであるとする。また、一例として、Ｗ１およびＨ１は、それぞれ、９ミリおよび５ミリであるとする。
【００６３】
なお、矩形状の各光源アレイ４０が出射する照明光は、少ないロスで、インテグレータ素子１０の入射面１０ａに照射されることが望ましい。そこで、理想的には、光源像４１のアスペクト比と、入射面１０ａのアスペクト比は同じであることが望まれる。
【００６４】
しかしながら、本実施の形態では、前述したように、光源像４１のアスペクト比と、入射面１０ａのアスペクト比は異なる。そのため、図４に示すように、光源像４１の一部は、入射面１０ａからはみ出す。すなわち、インテグレータ素子１０には、光源アレイ４０が出射する照明光の一部が入射される。また、インテグレータ素子１０は、入射された照明光の一部を出射面から出射する。そのため、画像表示素子１３の有効領域には、光源アレイ４０が出射する照明光全てではなく、当該照明光の一部のみしか照射されない。
【００６５】
次に、本実施の形態の光源アレイ４０を制御する光源駆動部３１の詳細な構成について説明する。図５は、光源駆動部３１の詳細な構成を示す図である。なお、図５には、光源駆動部３１に関連する構成も示されている。
【００６６】
本実施の形態では、一例として、光源アレイ４０を構成する６個の光源５０は、３個のグループに分類されるとする。具体的には、光源５０ａ，５０ｂは、グループＡに分類されるとする。また、光源５０ｃ，５０ｄは、グループＢに分類されるとする。また、光源５０ｅ，５０ｆは、グループＣに分類されるとする。各グループに属する各光源５０に対し、１個の駆動回路が設けられる。
【００６７】
また、光源駆動部３１は、駆動回路３２ｘ，３２ｙ，３２ｚから構成される。駆動回路３２ｘは、グループＡに属する光源５０ａ，５０ｂを制御する。駆動回路３２ｙは、グループＢに属する光源５０ｃ，５０ｄを制御する。駆動回路３２ｚは、グループＣに属する光源５０ｅ，５０ｆを制御する。
【００６８】
なお、光源５０ａ，５０ｂ，５０ｃ，５０ｄ，５０ｅ，５０ｆは、電気的に並列に接続される。光源５０ａ，５０ｂ，５０ｃ，５０ｄ，５０ｅ，５０ｆには、駆動回路３２ｘ，３２ｙ，３２ｚの制御に応じて、電源Ｐ１０から電流が供給される。以下においては、駆動回路３２ｘ，３２ｙ，３２ｚの各々を、駆動回路３２ともいう。すなわち、光源駆動部３１は、３つの駆動回路３２から構成される。
【００６９】
なお、６個の光源５０を分類するグループの数は、３に限定されず、１，２，４以上であってもよい。これに伴い、光源駆動部３１を構成する駆動回路３２の数は、３に限定されず、１，２，４以上であってもよい。また、駆動回路３２が制御対象とする光源５０の数は、２に限定されず、１または３以上であってもよい。
【００７０】
上記の構成により、各光源５０の駆動電流をグループごとに制御することができる。その結果、各グループごとに、該グループに属する各光源５０の輝度を変化させることができる。なお、上記の構成は、光源アレイ４０Ｒ，４０Ｇ，４０Ｂの各々に適用される。
【００７１】
以下においては、図４において、各光源像６０を構成する光を、部分光ともいう。また、以下においては、部分光の光量の総和を、光総量ＬＡともいう。また、以下においては、部分光のうち、入射面１０ａ内に照射される光を、有効光ともいう。また、以下においては、光総量ＬＡに対する、有効光の光量の割合を、光有効率ともいう。
【００７２】
例えば、図４の光源像６０ｄの光有効率は、１００％である。また、光源像６０ａの光有効率は、例えば、５／６である。この場合、光源５０ａが出射した光の光量の５／６の光量の光が、入射面１０ａ内に照射される。
【００７３】
本実施の形態では、制御部３０は、予め、各光源像６０ｄの光有効率を記憶している。
【００７４】
なお、前述したように、照明光である光源像４１は、６個の光源５０がそれぞれ出射する６個の光により構成される。すなわち、光源像４１は、当該６個の光により構成される。以下においては、６個の光源５０がそれぞれ出射する６個の光のうち、インテグレータ素子１０に入射される光量が最も大きい光を、最大有効光ともいう。例えば、光源像６０ａ，６０ｂ，６０ｃ，６０ｄ，６０ｅ，６０ｆのうち、光源像６０ｃ，６０ｄは、最大有効光により形成される。
【００７５】
また、以下においては、最大有効光を出射する光源５０を、高出力光源ともいう。例えば、光源像６０ｃを形成するための最大有効光を出射する光源５０ｃは、高出力光源である。
【００７６】
次に、本実施の形態の投写型表示装置１０００の動作（以下、光制御動作Ａともいう）について説明する。なお、制御部３０は、予め、各光源像６０の光有効率を記憶している。すなわち、制御部３０は、予め、各光源５０に対応する光源像６０の光有効率を記憶している。
【００７７】
ここで、各光源５０の電流輝度特性は、図６に示される電流輝度特性ＩＹａであるとする。電流輝度特性とは、光源５０に流れる電流と、当該光源５０が出射する光の輝度との関係を示す特性である。以下においては、光源５０に流れる電流を、駆動電流ともいう。電流輝度特性ＩＹａは、駆動電流と輝度とが比例関係にある理想的な特性である。
【００７８】
また、前述したように、インテグレータ素子１０には、光源アレイ４０が出射する照明光の一部が入射される。また、インテグレータ素子１０は、入射された照明光の一部を出射面から出射する。この場合、画像表示素子１３は、インテグレータ素子１０が出射した照明光の一部を利用して映像光を生成する。
【００７９】
光制御動作Ａでは、光源駆動部３１は、電流輝度特性ＩＹａを用いて、インテグレータ素子１０に入射される照明光の一部の光量に基づいて、光源アレイ４０を構成する６個の光源５０の各々が出射する光の量を制御する。少し具体的には、光制御動作Ａでは、光源駆動部３１は、電流輝度特性ＩＹａを用いて、インテグレータ素子１０に入射される照明光の一部の光量と当該照明光の光量の総和とに基づいて、光源アレイ４０を構成する６個の光源５０の各々が出射する光の量を制御する。
【００８０】
具体的には、光源駆動部３１の各駆動回路３２は、当該駆動回路３２に対応するグループに属する各光源５０に流れる電流を制御する。例えば、駆動回路３２ｘは、当該駆動回路３２ｘに対応するグループＡに属する光源５０ａ，５０ｂに流れる電流を制御する。
【００８１】
なお、前述したように、照明光である光源像４１は、６個の光源５０がそれぞれ出射する６個の光により構成される。
【００８２】
さらに具体的には、光制御動作Ａでは、光源駆動部３１は、高出力光源へ供給する電流の量を、光源アレイ４０を構成する６個の光源５０のうち当該高出力光源以外の光源５０へ供給する電流の量より多くする。
【００８３】
なお、光制御動作Ａにおいて、光源駆動部３１は、電流輝度特性ＩＹａを用いずに、各光源５０が出射する光の量を制御してもよい。
【００８４】
次に、上記の光制御動作Ａを実現するための方法について詳細に説明する。以下においては、説明を間単にするために、１つの光源アレイ４０（例えば、光源アレイ４０Ｒ）を対象として説明する。
【００８５】
ここで、以下の条件Ａが満たされるとする。条件Ａでは、図４の光源像６０ｃ，６０ｄの光有効率は、１００％である。また、条件Ａでは、光源像６０ａ，６０ｂ，６０ｅ，６０ｆの光有効率は、５／６である。
【００８６】
また、条件Ａでは、光源５０ａ，５０ｂ，５０ｃ，５０ｄ，５０ｅ，５０ｆの定格電流は、６（Ａ）である。ここで、定格電流とは、当該定格電流が光源５０に流れても、当該光源５０が破損しない電流値を有する電流である。すなわち、定格電流は、光源５０を正常に駆動させるための最大電流である。
【００８７】
また、条件Ａでは、各光源５０の電流輝度特性は、図６に示される電流輝度特性ＩＹａである。
【００８８】
ここで、以下の状況Ｎを想定する。状況Ｎは、光源アレイ４０を構成する６個の光源５０のうち１個の光源５０のみが光を出射するという状況である。状況Ｎにおいて、当該１個の光源５０に対応する光源像６０の光有効率が、仮に、１００％である場合に、投写型表示装置１０００が出射する映像光の輝度を、ｙ（ｘ）と定義する。
【００８９】
ｙ（ｘ）のｘは、光源５０ａ，５０ｂ，５０ｃ，５０ｄ，５０ｅ，５０ｆにおけるａ〜ｆが設定される。すなわち、光源５０ａ，５０ｂ，５０ｃ，５０ｄ，５０ｅ，５０ｆに対応するｙ（ｘ）は、ｙ（ａ）、ｙ（ｂ）、ｙ（ｃ）、ｙ（ｄ）、ｙ（ｅ）と表現される。例えば、状況Ｎにおいて、当該１個の光源５０が、光源５０ａである場合、ｙ（ｘ）は、ｙ（ａ）と表現される。
【００９０】
ここで、投写型表示装置１０００が出射する映像光の輝度を、ｙと定義する。前述の条件Ａにおける輝度ｙは、以下の式１により表現される。
【００９１】
ｙ＝５／６×ｙ（ａ）＋５／６×ｙ（ｂ）＋ｙ（ｃ）＋ｙ（ｄ）＋５／６×ｙ（ｅ）＋５／６×ｙ（ｆ）  …（式１）
ここで、光源５０ａの駆動電流をｉａと定義する。この場合、式１のｙ（ａ）は、例えば、以下の式２により表現される。
【００９２】
ｙ（ａ）＝０．６×ｉａ  …（式２）
式２の０．６は、光学系および光源５０の特性により定まる定数である。なお、ｙ（ｂ）〜ｙ（ｆ）の各々も、式２と同様に表現される。例えば、ｙ（ｂ）は、０．６×ｉｂと表現される。
【００９３】
式１および式２により、輝度ｙは、以下の式３により表現される。
【００９４】
ｙ＝５／６×０．６×ｉａ＋５／６×０．６×ｉｂ＋０．６×ｉｃ＋０．６×ｉｄ＋５／６×０．６×ｉｅ＋５／６×０．６×ｉｆ  …（式３）
前述したように、投写型表示装置１０００は、動作モードとして、輝度重視モードおよび低消費電力モードを有する。
【００９５】
まず、投写型表示装置１０００の動作モードが輝度重視モードである場合の処理について説明する。この場合、駆動電流ｉａ〜ｉｆが、定格電流である６（Ａ）となるように、各駆動回路３２は、当該駆動回路３２に対応する各光源５０を制御する。なお、各駆動回路３２は、２個の光源５０の駆動電流を制御する。そのため、各駆動回路３２は、当該２個の光源５０に流れる駆動電流の合計が１２（Ａ）となるための制御を行う。
【００９６】
次に、投写型表示装置１０００の動作モードが低消費電力モードである場合の処理について説明する。この場合、制御部３０は、各光源駆動部３１を介して、各光源アレイ４０における駆動電流の合計を制限する制御を行う。これにより、投写型表示装置１０００の消費電力が一定の値に抑えられる。
【００９７】
例えば、各光源アレイ４０における駆動電流の合計が２０（Ａ）に制限されるとする。この場合、以下の式４が成立する。
【００９８】
ｉａ＋ｉｂ＋ｉｃ＋ｉｄ＋ｉｅ＋ｉｆ＝２０  …（式４）
前述したように、各駆動回路３２は、図５のように、２個の光源５０の駆動電流を制御する。そのため、以下の式５が満たされる。
【００９９】
ｉａ＝ｉｂ、ｉｃ＝ｉｄ、ｉｅ＝ｉｆ  …（式５）
また、光源５０ａ，５０ｂ，５０ｅ，５０ｆの各々に対応する光有効率は、同じである。そのため、以下の式６が満たされる。
【０１００】
ｉａ＝ｉｂ＝ｉｅ＝ｉｆ  …（式６）
したがって、式３は、式６により、以下の式７で表現される。
【０１０１】
ｙ＝２×ｉａ+１．２×ｉｃ  …（式７）
ここで、式４は、式６により、以下の式８で表現される。
【０１０２】
４×ｉａ＋２×ｉｃ＝２０  …（式８）
式３から得られる式７に、式８を変形した式を代入することにより、以下の式９が得られる。
【０１０３】
ｙ＝０．２×ｉｃ+１０  …（式９）
式９を用いて、０≦ｉａ≦６および０≦ｉｃ≦６が満たされる条件において、輝度ｙが最大となるｉａを求めるとする。この場合、式８および式９のｉｃに６を代入する。これにより、式８からｉａ＝２（Ａ）が得られる。また、式９から、輝度ｙ＝１１．２が得られる。なお、ｉｃ＝６（Ａ）である。
【０１０４】
以上により、式５および式６から、ｉａ＝２（Ａ）、ｉｂ＝２（Ａ）、ｉｃ＝６（Ａ）、ｉｄ＝６（Ａ）、ｉｅ＝２（Ａ）、ｉｆ＝２（Ａ）が得られる。
【０１０５】
したがって、投写型表示装置１０００を、各光源アレイ４０における駆動電流の合計を２０（Ａ）に抑えた低消費電力モードで動作させる場合、制御部３０は、駆動回路３２ｘ，３２ｙ，３２ｚに対し以下の制御を行う。
【０１０６】
具体的には、光制御動作Ａにおいて、駆動回路３２ｘは、制御部３０の制御に従い、対応する各光源５０の駆動電流の合計が４（Ａ）となる制御を行う。また、駆動回路３２ｙは、制御部３０の制御に従い、対応する各光源５０の駆動電流の合計が１２（Ａ）となる制御を行う。なお、駆動回路３２ｙに対応する光源５０ｃ，５０ｄは、光制御動作Ａにおける高出力光源である。
【０１０７】
また、光制御動作Ａにおいて、駆動回路３２ｚは、制御部３０の制御に従い、対応する各光源５０の駆動電流の合計が４（Ａ）となる制御を行う。この場合、輝度ｙは、各光源アレイ４０における駆動電流の合計が２０（Ａ）に制限された状況においての最大値である１１．２となる。
【０１０８】
なお、比較例Ｎ１として、各駆動回路３２が、当該駆動回路３２に対応する各光源５０の駆動電流を全て同じ電流（約６．６６７Ａ）としたとする。この場合、輝度ｙは、約１０．６６７である。したがって、本実施の形態では、比較例Ｎ１よりも、５％だけ高い輝度の映像光を得ることができる。
【０１０９】
なお、一例として、輝度ｙ＝１の場合、投写型表示装置１０００が出射する映像光の輝度は１００ｃｄ／ｍ２であるとする。
【０１１０】
以上説明したように、本実施の形態によれば、投写型表示装置１０００は、ｍ個の光源５０から構成される光源アレイ４０と、光源アレイ４０が出射する照明光の輝度分布を均一化するためのインテグレータ素子１０と、を備える。インテグレータ素子１０には、当該照明光の一部が入射される。光源駆動部３１は、インテグレータ素子１０に入射される当該照明光の一部の光量に基づいて、ｍ個の光源５０の各々が出射する光の量を制御する。
【０１１１】
これにより、光源アレイが出射する照明光の一部がインテグレータ素子に入射される構成において、当該照明光の一部の光量を考慮した、複数の光源の各々が出射する光の量の制御を行うことができる。
【０１１２】
また、本実施の形態では、光源駆動部３１は、最大有効光を出射する高出力光源へ供給する電流の量を、ｍ個の光源のうち高出力光源以外の光源へ供給する電流の量より多くする。最大有効光は、ｍ個の光源がそれぞれ出射するｍ個の光のうち、インテグレータ素子１０に入射される光量が最も大きい光である。これにより、限られた電流を有効に活用して、映像光の輝度を向上させることができる。
【０１１３】
また、本実施の形態によれば、各光源５０に対応する光有効率に基づいて、各光源５０を最適な電流により駆動させる。これにより、各光源アレイ４０における駆動電流の合計を一定値に抑える構成においても、比較例Ｎ１の駆動方法よりも高輝度の映像光を得ることができる。すなわち、より輝度の高い映像光を、スクリーン等に投影することができる。
【０１１４】
また、本実施の形態によれば、できるだけ映像光の輝度を上げつつ、各光源５０の消費電流を最適化することができる。
【０１１５】
＜実施の形態２＞
実施の形態１の投写型表示装置１０００で使用される光源アレイ４０の各光源５０は、電流輝度特性が図６の電流輝度特性ＩＹａであるとした。すなわち、実施の形態１の投写型表示装置１０００は、駆動電流と輝度とが比例関係にある理想的な特性を有する各光源５０を使用する構成とした。
【０１１６】
なお、実際の光源５０は、一般的に、駆動電流が最大に近づくほど、発光効率が低下するという特性を持つ。当該特性は、例えば、図７に示される電流輝度特性ＩＹｂである。
【０１１７】
本実施の形態では、投写型表示装置１０００で使用される各光源５０の電流輝度特性が、図７の電流輝度特性ＩＹｂである場合における投写型表示装置１０００の動作（以下、光制御動作Ｂともいう）について説明する。
【０１１８】
光制御動作Ｂは、実施の形態１の光制御動作Ａと比較して、電流輝度特性ＩＹａの代わりに電流輝度特性ＩＹｂが使用される点が異なる。光制御動作Ｂのそれ以外の処理は、光制御動作Ａと同様なので詳細な説明は繰り返さない。すなわち、光制御動作Ｂでは、光源駆動部３１は、電流輝度特性ＩＹｂを用いて、インテグレータ素子１０に入射される照明光の一部の光量に基づいて、光源アレイ４０を構成する６個の光源５０の各々が出射する光の量を制御する。
【０１１９】
また、光制御動作Ｂでは、光源駆動部３１は、高出力光源へ供給する電流の量を、光源アレイ４０を構成する６個の光源５０のうち当該高出力光源以外の光源５０へ供給する電流の量より多くする。
【０１２０】
次に、上記の光制御動作Ｂを実現するための方法について詳細に説明する。以下においては、説明を間単にするために、１つの光源アレイ４０（例えば、光源アレイ４０Ｒ）を対象として説明する。光制御動作Ｂでは、図７の電流輝度特性ＩＹｂが使用される。電流輝度特性ＩＹｂに示されるように、光源５０は、最大値である６（Ａ）までの駆動電流により駆動できる。なお、駆動電流が最大値に近づくほど、光源５０の発光効率が低下する。
【０１２１】
駆動電流と輝度の特性を示す電流輝度特性ＩＹｂは、３次関数で近似できる。ここで、実施の形態１で定義した、輝度ｙ（ａ）および駆動電流ｉａを用いると、当該３次関数は、例えば、以下の式１０により表現される。
【０１２２】
ｙ（ａ）＝０．００１×ｉａ３−０．０４×ｉａ２＋０．６×ｉａ  …（式１０）
式１０において、０．００１、０．０４、０．６は、光学系および光源５０の特性により定まる定数（係数）である。なお、本実施の形態では、ｙ（ｂ）〜ｙ（ｆ）の各々も、式１０と同様に表現される。例えば、ｙ（ｂ）は、０．００１×ｉｂ３−０．０４×ｉｂ２＋０．６×ｉｂと表現される。前述の式１および式１０により、輝度ｙは、以下の式１１により表現される。
【０１２３】
ｙ＝５／６×（０．００１×ｉａ３−０．０４×ｉａ２＋０．６×ｉａ）
＋５／６×（０．００１×ｉｂ３−０．０４×ｉｂ２＋０．６×ｉｂ）
＋０．００１×ｉｃ３−０．０４×ｉｃ２＋０．６×ｉｃ
＋０．００１×ｉｄ３−０．０４×ｉｄ２＋０．６×ｉｄ
＋５／６×（０．００１×ｉｅ３−０．０４×ｉｅ２＋０．６×ｉｅ）
＋５／６×（０．００１×ｉｆ３−０．０４×ｉｆ２＋０．６×ｉｆ）  …（式１１）
次に、投写型表示装置１０００の動作モードが低消費電力モードである場合の処理について説明する。この場合、制御部３０は、各光源駆動部３１を介して、各光源アレイ４０における駆動電流の合計を制限する制御を行う。これにより、投写型表示装置１０００の消費電力が一定の値に抑えられる。
【０１２４】
例えば、各光源アレイ４０における駆動電流の合計が５（Ａ）に制限されるとする。この場合、以下の式１２が成立する。
【０１２５】
ｉａ＋ｉｂ＋ｉｃ＋ｉｄ＋ｉｅ＋ｉｆ＝５  …（式１２）
前述したように、各駆動回路３２は、図５のように、２個の光源５０の駆動電流を制御する。そのため、前述の式５が満たされる。
【０１２６】
また、光源５０ａ，５０ｂ，５０ｅ，５０ｆの各々に対応する光有効率は、同じである。そのため、前述の式６が満たされる。
【０１２７】
したがって、式１１は、前述の式６により、以下の式１３で表現される。
【０１２８】
ｙ＝１０／３×（０．００１×ｉａ３−０．０４×ｉａ２＋０．６×ｉａ）
+２×（０．００１×ｉｃ３−０．０４×ｉｃ２＋０．６×ｉｃ）  …（式１３）
ここで、式１２は、式６により、以下の式１４で表現される。
【０１２９】
４×ｉａ＋２×ｉｃ＝５  …（式１４）
式１１から得られる式１３に、式１４を変形した式を代入することにより、以下の式１５が得られる。
【０１３０】
３ｙ＝−０．０３８ｉａ３−１．１８ｉａ２＋０．９７５ｉａ＋７．５９３７５  …（式１５）
式１５の両辺を微分することにより、以下の式１６が得られる。
【０１３１】
（３ｙ）´＝−０．１１４ｉａ３−２．３６ｉａ＋０．９７５  …（式１６）
２次方程式である−０．１１４ｉａ３−２．３６ｉａ＋０．９７５＝０の解を求めると、ｉａは、０．４０５２０４・・・、または、−２１．１０６９５８・・・である。
【０１３２】
したがって、０≦ｉａ≦６の範囲で、式１５の３ｙ、すなわち、輝度ｙが最大となるｉａは、約０．４０５２である。
【０１３３】
なお、式１５を変形した以下の式１７は、図８に示されるグラフで表現される。
【０１３４】
ｙ＝（−０．０３８ｉａ３−１．１８ｉａ２＋０．９７５ｉａ＋７．５９３７５）／３  …（式１７）
以上により、式５、式６および式１４から、ｉａ＝約０．４０５２（Ａ）、ｉｂ＝約０．４０５２（Ａ）、ｉｃ＝約１．６８９６（Ａ）、ｉｄ＝約１．６８９６（Ａ）、ｉｅ＝約０．４０５２（Ａ）、ｉｆ＝約０．４０５２（Ａ）が得られる。また、式１７から、輝度ｙ＝約２．５９８が得られる。
【０１３５】
したがって、投写型表示装置１０００を、各光源アレイ４０における駆動電流の合計を５（Ａ）に抑えた低消費電力モードで動作させる場合、制御部３０は、駆動回路３２ｘ，３２ｙ，３２ｚに対し以下の制御を行う。
【０１３６】
具体的には、光制御動作Ｂにおいて、駆動回路３２ｘは、制御部３０の制御に従い、対応する各光源５０の駆動電流の合計が約０．８１０４（Ａ）となる制御を行う。また、駆動回路３２ｙは、制御部３０の制御に従い、対応する各光源５０の駆動電流の合計が約３．３７９２（Ａ）となる制御を行う。なお、駆動回路３２ｙに対応する光源５０ｃ，５０ｄは、光制御動作Ｂにおける高出力光源である。
【０１３７】
また、光制御動作Ｂにおいて、駆動回路３２ｚは、制御部３０の制御に従い、対応する各光源５０の駆動電流の合計が約０．８１０４（Ａ）となる制御を行う。この場合、輝度ｙは、各光源アレイ４０における駆動電流の合計が５（Ａ）に制限された状況においての最大値である約２．５９８となる。
【０１３８】
なお、比較例Ｎ２として、各駆動回路３２が、当該駆動回路３２に対応する各光源５０の駆動電流を全て同じ電流（約１．６６６６Ａ）としたとする。この場合、輝度ｙは、約２．５２２である。したがって、本実施の形態では、比較例Ｎ２よりも、約３％だけ高い輝度の映像光を得ることができる。
【０１３９】
なお、一例として、輝度ｙ＝１の場合、投写型表示装置１０００が出射する映像光の輝度は１００ｃｄ／ｍ２であるとする。
【０１４０】
以上説明したように、本実施の形態によれば、図７に示される電流輝度特性ＩＹｂを有する光源５０を利用する構成においても、実施の形態１と同様な効果を得ることができる。
【０１４１】
（変形例１）
本変形例では、光源５０が短絡故障した場合における投写型表示装置１０００の動作（以下、光制御動作Ａともいう）について説明する。短絡故障とは、光源５０が有する２つの端子が短絡した故障である。以下においては、短絡故障した光源５０を、故障光源ともいう。故障光源は、故障している光源５０である。
【０１４２】
また、以下においては、点灯状態が正常である光源５０を、正常光源ともいう。正常光源は、各光源アレイ４０を構成するｍ個の光源のうち故障光源以外の光源である。
【０１４３】
また、以下においては、故障光源に対応する駆動回路３２を、故障対応駆動回路ともいう。また、以下においては、正常光源である各光源５０に対応する駆動回路３２を、正常対応駆動回路ともいう。正常対応駆動回路に対応する各光源５０には、故障光源が存在しない。
【０１４４】
なお、各光源駆動部３１は、当該光源駆動部３１に対応する各光源５０において、故障光源が存在するか否かを検出する機能を有する。
【０１４５】
以下においては、実施の形態１の光制御動作Ａ、または、実施の形態２の光制御動作Ｂにおいて、さらに、故障光源を考慮した動作を、光制御動作Ｎともいう。
【０１４６】
光制御動作Ｎでは、光制御動作Ａまたは光制御動作Ｂの動作に加え、以下の動作を行う。光制御動作Ｎでは、各光源駆動部３１は、当該光源駆動部３１に対応するｍ個の光源５０において、故障光源が存在する場合、正常光源へ供給する電流の量を制御する。
【０１４７】
具体的には、各光源駆動部３１は、故障光源が存在する場合、故障光源への電流供給を停止するための処理を行う。また、各光源駆動部３１は、故障光源が存在する場合、正常光源へ供給する電流の量を、当該正常光源の定格電流を超えないように、増加させる処理を行う。当該定格電流は、６（Ａ）である。
【０１４８】
次に、上記の光制御動作Ｎを実現するための方法について詳細に説明する。以下においては、説明を間単にするために、１つの光源アレイ４０（例えば、光源アレイ４０Ｒ）を対象として説明する。
【０１４９】
具体的には、投写型表示装置１０００の動作モードが低消費電力モードである場合の処理について説明する。この場合、制御部３０は、各光源駆動部３１を介して、各光源アレイ４０における駆動電流の合計を制限する制御を行う。これにより、投写型表示装置１０００の消費電力が一定の値に抑えられる。各光源アレイ４０における駆動電流の合計は、一例として、５（Ａ）に制限されるとする。
【０１５０】
前述したように、各駆動回路３２は、図５のように、２個の光源５０の駆動電流を制御する。そのため、例えば、短絡故障した１個の故障光源が発生した場合、当該１個の故障光源に対応する故障対応駆動回路は、当該１個の故障光源を含む２個の光源５０の駆動を停止させる必要がある。この場合、正常対応駆動回路である２つの駆動回路３２は、当該２つの駆動回路３２に対応する４個の光源５０の駆動電流の合計が５（Ａ）となるように、制御を行う必要がある。
【０１５１】
例えば、光源５０ｃまたは光源５０ｄが、短絡故障した故障光源である場合、駆動回路３２ｙは、光源５０ｃ，５０ｄへの電流供給を停止する。すなわち、制御部３０により、駆動回路３２ｙの駆動は停止される。また、駆動回路３２ｘ，３２ｚは、当該駆動回路３２ｘ，３２ｚに対応する光源５０ａ，５０ｂ，５０ｅ，５０ｆの駆動電流の合計が５（Ａ）となるように、制御を行う必要がある。この場合、明らかに、駆動回路３２ｘ，３２ｚの各々が、２．５（Ａ）の電流を、対応する各光源５０へ供給した場合、もっとも高輝度の映像光を得ることができる。
【０１５２】
次に、光源５０ａ，５０ｂ，５０ｅ，５０ｆのいずれかが、短絡故障したとする。ここでは、一例として、光源５０ａが短絡故障したとする。すなわち、光源５０ａが、短絡故障した故障光源であるとする。この場合、駆動回路３２ｘは、光源５０ａ，５０ｂへの電流供給を停止する。すなわち、制御部３０により、駆動回路３２ｘの駆動は停止される。つまり、光源駆動部３１は、故障光源が存在する場合、故障光源への電流供給を停止するための処理を行う。
【０１５３】
光源５０ａが故障光源である場合、継続して駆動される光源は、光源５０ｃ，５０ｄ，５０ｅ，５０ｆである。この場合、式１に、ｙ（ａ）＝０、ｙ（ｂ）＝０を代入することにより、輝度ｙは、以下の式１８で表現される。
【０１５４】
ｙ＝ｙ（ｃ）＋ｙ（ｄ）＋５／６×ｙ（ｅ）＋５／６×ｙ（ｆ）  …（式１８）
ここで、光制御動作Ｎでは、一例として、図７の電流輝度特性ＩＹｂが使用されるとする。この場合、実施の形態２と同様に、式１８のｙ（ｃ）〜ｙ（ｆ）の各々も、式１０と同様に表現される。また、前述したように、各光源アレイ４０における駆動電流の合計が５（Ａ）に制限されるため、式４のｉａ、ｉｂに０を代入することにより、以下の式１９が得られる。
【０１５５】
ｉｃ＋ｉｄ＋ｉｅ＋ｉｆ＝５  …（式１９）
また、実施の形態１の式５と同様、ｉｃ＝ｉｄ、ｉｅ＝ｉｆが成立する。以上を考慮すると、式１８は、以下の式２０で表現される。
【０１５６】
３ｙ＝０．００１ｉｃ３−０．４０２５ｉｃ２＋１．５０６２５ｉｃ＋６．３２８１２５  …（式２０）
そして、式２０を、前述の式１５と同様に変形して、０≦ｉｃ≦６の範囲で、輝度ｙが最大となるｉｃを求める。この場合、ｉｃは、約１．８８４である。
【０１５７】
以上により、式５、式６および式１９から、ｉｃ＝１．８８４（Ａ）、ｉｄ＝約１．８８４（Ａ）、ｉｅ＝約０．６１６（Ａ）、ｉｆ＝約０．６１６（Ａ）が得られる。また、式２０から、輝度ｙ＝約２．５８１が得られる。
【０１５８】
したがって、投写型表示装置１０００を、各光源アレイ４０における駆動電流の合計を５（Ａ）に抑えた低消費電力モードで動作させている間に、短絡故障した故障光源が発生した場合、制御部３０は、駆動回路３２ｘ，３２ｙ，３２ｚに対し以下の制御を行う。
【０１５９】
具体的には、光制御動作Ｎにおいて、駆動回路３２ｘは、制御部３０の制御に従い、対応する各光源５０への電流供給を停止する。すなわち、制御部３０により、駆動回路３２ｘの駆動は停止される。また、駆動回路３２ｙは、制御部３０の制御に従い、対応する各光源５０の駆動電流の合計が約３．７６８（Ａ）となる制御を行う。なお、駆動回路３２ｙに対応する光源５０ｃ，５０ｄは、光制御動作Ｎにおける高出力光源である。
【０１６０】
また、光制御動作Ｎにおいて、駆動回路３２ｚは、制御部３０の制御に従い、対応する各光源５０の駆動電流の合計が約１．２３２（Ａ）となる制御を行う。この場合、輝度ｙは、各光源アレイ４０における駆動電流の合計が５（Ａ）に制限された状況においての最大値である約２．５８１となる。
【０１６１】
なお、比較例Ｎ３として、駆動回路３２ｙ，３２ｚの各々が、対応する各光源５０の駆動電流を全て同じ電流（約２．５Ａ）としたとする。この場合、輝度ｙは、約２．５２８である。したがって、本変形例では、比較例Ｎ３よりも、約２．１％だけ高い輝度の映像光を得ることができる。
【０１６２】
なお、一例として、輝度ｙ＝１の場合、投写型表示装置１０００が出射する映像光の輝度は１００ｃｄ／ｍ２であるとする。
【０１６３】
なお、上記においては、光源５０ａが短絡故障した場合について述べたが、光源５０ｂ，５０ｅ，５０ｆのいずれかが短絡故障した場合も、光源５０ａが短絡故障した場合における上記の動作が行われる。すなわち、光源５０ａの場合と同様に、駆動電流を求め、駆動回路が、対応する各光源５０において発生せる電流を変化させる。これにより、駆動電流の合計が制限された状況において、もっとも高輝度の映像光を得ることができる。
【０１６４】
以上説明したように、本変形例によれば、各光源アレイ４０を構成する各光源５０において、短絡故障して点灯しなくなった光源５０が発生した場合、残りの正常光源の駆動電流を変更する。具体的には、正常光源へ供給する電流の量を、当該正常光源の定格電流を超えないように、増加させる処理を行う。これにより、例えば、スクリーンに、より高輝度の映像光を投影することができる。
【０１６５】
なお、本発明は、その発明の範囲内において、各実施の形態、変形例を自由に組み合わせたり、各実施の形態、変形例を適宜、変形、省略することが可能である。
【０１６６】
例えば、上記の実施の形態では、画像表示素子１３の有効領域のアスペクト比、および、インテグレータ素子１０の入射面１０ａのアスペクト比は、４：３とし、各光源アレイ４０の発光面のアスペクト比が１６：９としたが、これに限定されない。
【０１６７】
各光源アレイ４０の発光面の形状に対応する光源像４１の一部が、インテグレータ素子１０の入射面１０ａからはみ出る構成であれば、上記のアスペクト比以外のアスペクト比であってもよい。この場合においても、前述の方法により、駆動電流の合計が制限された状況において、もっとも高輝度の映像光を得ることができる。
【０１６８】
また、前述したように、なお、各光源アレイ４０を構成する光源５０の数は、６に限定されず、２〜５，７以上であってもよい。
【０１６９】
また、前述したように、光源５０は、ＬＥＤに限定されず、例えば、レーザであってもよい。
【０１７０】
また、前述したように、各光源アレイ４０を構成する６個の光源５０を分類するグループの数は、３に限定されず、１，２，４以上であってもよい。これに伴い、光源駆動部３１を構成する駆動回路３２の数は、３に限定されず、１，２，４以上であってもよい。また、駆動回路３２が制御対象とする光源５０の数は、２に限定されず、１または３以上であってもよい。
【０１７１】
このように、上記で説明した構成以外の構成であっても、上記と同様の方法により、各駆動電流を求め、当該駆動電流に従って各駆動回路を制御することにより、駆動電流の合計が制限された状況において、もっとも高輝度の映像光を得ることができる。
【符号の説明】
【０１７２】
１０  インテグレータ素子、１３  画像表示素子、３０  制御部、３１，３１Ｒ，３１Ｇ，３１Ｂ  光源駆動部、４０，４０Ｒ，４０Ｇ，４０Ｂ  光源アレイ、５０ａ，５０ｂ，５０ｃ，５０ｄ，５０ｅ，５０ｆ  光源、１２０  照明光学系、１３０  投写光学系、１０００  投写型表示装置。
【図１】
2015161850.tif 000003
【図２】
2015161850.tif 000004
【図３】
2015161850.tif 000005
【図４】
2015161850.tif 000006
【図５】
2015161850.tif 000007
【図６】
2015161850.tif 000008
【図７】
2015161850.tif 000009
【図８】
2015161850.tif 000010